(57)【要約】【課題】  眼底像と前眼部像の両者を同時に観察しながら、撮影に適した位置合わせが容易に行える眼底カメラを提供する。【解決手段】  撮影照明光により照明された被検眼眼底を撮影する眼底カメラにおいて、観察用照明光により照明された被検眼眼底を撮像する第１撮像素子を持つ眼底観察光学系と、眼底像を表示するためのモニタと、前記観察光学系の光軸と同軸にされた光軸で被検眼の前眼部を撮像する第２撮像素子を持つ前眼部観察光学系と、前記第１撮像素子で撮像された眼底像を所定の撮影画角サイズで切り出して前記モニタに表示すると共に、該眼底像の表示の周辺に前記第２撮像素子で撮像された前眼部像を表示する表示制御手段であって、前眼部上での所定の所要瞳孔径を示すアライメントマークを前記前眼部像に重ねて表示し、前記眼底像を前記アライメントマークの領域内に表示する表示制御手段と、を備える。【選択図】      図４
2006043305.tif 000002
【特許請求の範囲】
【請求項１】
撮影照明光により照明された被検眼眼底を撮影する眼底カメラにおいて、観察用照明光により照明された被検眼眼底を撮像する第１撮像素子を持つ眼底観察光学系と、眼底像を表示するためのモニタと、前記観察光学系の光軸と同軸にされた光軸で被検眼の前眼部を撮像する第２撮像素子を持つ前眼部観察光学系と、前記第１撮像素子で撮像された眼底像を所定の撮影画角サイズで切り出して前記モニタに表示すると共に、該眼底像の表示の周辺に前記第２撮像素子で撮像された前眼部像を表示する表示制御手段であって、前眼部上での所定の所要瞳孔径を示すアライメントマークを前記前眼部像に重ねて表示し、前記眼底像を前記アライメントマークの領域内に表示する表示制御手段と、を備えることを特徴とする眼底カメラ。
【請求項２】
請求項１の眼底カメラにおいて、前記眼底像を前眼部上での所定の所要瞳孔径と同じ大きさで表示することを特徴とする眼底カメラ。
【請求項３】
請求項１又は２の何れかの眼底カメラにおいて、前記表示制御手段は、前記第1撮像素子で撮像される眼底像における撮像光軸位置と第2撮像素子で撮像される前眼部像における撮像光軸位置とを略一致させて前記モニタに表示することを特徴とする眼底カメラ。
【請求項４】
請求項１〜３の何れかの眼底カメラにおいて、前記モニタの画像表示の水平又は垂直方向における前記眼底像の占める割合が、前記前眼部像の表示よりも大きくなるようにしたことを特徴とする眼底カメラ。
【請求項５】
請求項４の眼底カメラにおいて、前記モニタに表示される眼底像が前眼部上での所定の所要瞳孔径と同じ大きさなるように、前記第２撮像素子で撮像される前眼部像を光学的又は電子的に変倍する変倍手段を備えることを特徴とする眼底カメラ。
【請求項６】
撮影照明光により照明された被検眼眼底を撮影する眼底カメラにおいて、観察用照明光により照明された被検眼眼底を撮像する第１撮像素子を持つ観察光学系と、眼底像を表示するためのモニタと、前記観察光学系の光軸と同軸にされた光軸で被検眼の前眼部を撮像する第２撮像素子を持つ前眼部観察光学系と、前記第１撮像手段で撮像された眼底像を所定の撮影画角サイズで切り出して前記モニタに表示すると共に、該眼底像の表示の周辺に前記第２撮像手段で撮像された前眼部像を表示する表示制御手段であって、前記第1撮像素子で撮像される眼底像における撮像光軸位置と第２撮像素子で撮像される前眼部像における撮像光軸位置とを略一致させて前記モニタに表示することを特徴とする眼底カメラ。
【発明の詳細な説明】
【技術分野】
【０００１】
本発明は、被検眼の眼底像を撮影する眼底カメラに関する。
【背景技術】
【０００２】
従来の眼底カメラにおいては、検者がモニタに表示される眼底観察像を観察し、照明ムラやフレア等を確認してアライメント調整していた。また、眼底観察像と共にモニタ上に前眼部観察像を小画面で表示し、眼底観察像と前眼部観察像の両方を観察可能にしたものが提案されている（特許文献１参照）。
【特許文献１】特開２０００−５１３１号公報
【発明の開示】
【発明が解決しようとする課題】
【０００３】
しかしながら、眼底像の観察のみでは、撮影に不慣れな検者ではアライメント調整が容易でない。上記特許文献１においては、眼底像と前眼部像の両方を観察できるものの、前眼部像と眼底像は分割された形式で表示されるため、前眼部像を見る場合には、検者は眼底像から前眼部像へと視線を大きく移動させる必要がある。また、前眼部像の表示は小さくて見づらい。前眼部像の視認性を良くするために前眼部像を大きく表示すると、眼底像の一部が隠れてしまう。これを避けるために眼底像を小さくすると、逆に眼底像の視認性が悪くなる。このため、撮影に適したアライメント調整は、必ずしも容易でなかった。
【０００４】
本発明は、上記問題点を鑑み、眼底像と前眼部像の両者を同時に観察しながら、撮影に適した位置合わせが容易に行える眼底カメラを提供することを技術課題とする。
【課題を解決するための手段】
【０００５】
（１）  撮影照明光により照明された被検眼眼底を撮影する眼底カメラにおいて、観察用照明光により照明された被検眼眼底を撮像する第１撮像素子を持つ眼底観察光学系と、眼底像を表示するためのモニタと、前記観察光学系の光軸と同軸にされた光軸で被検眼の前眼部を撮像する第２撮像素子を持つ前眼部観察光学系と、前記第１撮像素子で撮像された眼底像を所定の撮影画角サイズで切り出して前記モニタに表示すると共に、該眼底像の表示の周辺に前記第２撮像素子で撮像された前眼部像を表示する表示制御手段であって、前眼部上での所定の所要瞳孔径を示すアライメントマークを前記前眼部像に重ねて表示し、前記眼底像を前記アライメントマークの領域内に表示する表示制御手段と、を備えることを特徴とする眼底カメラ。
（２）  （１）の眼底カメラにおいて、前記眼底像を前眼部上での所定の所要瞳孔径と同じ大きさで表示することを特徴とする眼底カメラ。
（３）  （１）又は（２）の何れかの眼底カメラにおいて、前記表示制御手段は、前記第1撮像素子で撮像される眼底像における撮像光軸位置と第2撮像素子で撮像される前眼部像における撮像光軸位置とを略一致させて前記モニタに表示することを特徴とする眼底カメラ。
（４）  （１）〜（３）の何れかの眼底カメラにおいて、前記モニタの画像表示の水平又は垂直方向における前記眼底像の占める割合が、前記前眼部像の表示よりも大きくなるようにしたことを特徴とする眼底カメラ。
（５）  （４）の眼底カメラにおいて、前記モニタに表示される眼底像が前眼部上での所定の所要瞳孔径と同じ大きさなるように、前記第２撮像素子で撮像される前眼部像を光学的又は電子的に変倍する変倍手段を備えることを特徴とする眼底カメラ。
（６）  撮影照明光により照明された被検眼眼底を撮影する眼底カメラにおいて、観察用照明光により照明された被検眼眼底を撮像する第１撮像素子を持つ観察光学系と、眼底像を表示するためのモニタと、前記観察光学系の光軸と同軸にされた光軸で被検眼の前眼部を撮像する第２撮像素子を持つ前眼部観察光学系と、前記第１撮像手段で撮像された眼底像を所定の撮影画角サイズで切り出して前記モニタに表示すると共に、該眼底像の表示の周辺に前記第２撮像手段で撮像された前眼部像を表示する表示制御手段であって、前記第1撮像素子で撮像される眼底像における撮像光軸位置と第2撮像素子で撮像される前眼部像における撮像光軸位置とを略一致させて前記モニタに表示することを特徴とする眼底カメラ。
【発明の効果】
【０００６】
本発明によれば、眼底像と前眼部像の両者を同時に観察しながら、撮影に適した位置合わせがを容易に行える。
【発明を実施するための最良の形態】
【０００７】
以下、本発明の実施の形態を図面に基づいて説明する。図１は、本発明にかかる無散瞳型の眼底カメラの構成図である。
【０００８】
眼底カメラは、基台１と、ジョイスティック４の操作により基台１に対して左右方向（Ｘ方向）及び前後方向（Ｚ方向）に移動可能な移動台２と、移動台２に対して左右・上下・前後方向（Ｚ方向）にそれぞれ三次元移動可能な撮影部３と、被検者の顔を支持するために基台１に固設された顔支持ユニット５を備える。６は撮影部３を上下方向に移動するＹ駆動部であり、７は撮影部３を左右前後に移動するＸＺ駆動部である。ＸＺ駆動部７は、Ｙテーブルの上にＺ方向に移動可能なＺテーブルを配置し、Ｚテーブルの上にＸ方向に移動可能なＸテーブルを配置し、Ｘテーブルの上に撮影部３を配置し、Ｚテーブル及びＸテーブルをそれぞれモータ駆動することにより撮影部３をＸＹ方向に移動する。Ｙ駆動部６はＹテーブルをモータにより上下駆動することにより、撮影部３をＹ方向に移動する。この種の三次元駆動機構は周知の機構とすることができる。なお、撮影部３はジョイスティック４の回転操作によりＹ駆動部６が作動し、上下移動する。撮影部３の検者側には観察像や撮影像を表示するモニタ８が設けられている。
【０００９】
図２は、撮影部３に収納される光学系及び制御系の概略構成図である。光学系は、眼底照明光学系１０、眼底観察・撮影光学系３０、フォーカス指標投影光学系４０、前眼部照明用光源５０、前眼部観察光学系６０、固視標光学系７０から大別構成されている。
【００１０】
眼底照明光学系１０は、観察照明光学系と撮影照明光学系とからなる。撮影照明光学系は、フラッシュランプ等の撮影光源１４、コンデンサレンズ１５、リング状の開口を有する大リングスリット１７ａ、リレーレンズ１８、ミラー１９、中心部に黒点を有する黒点板２０、リレーレンズ２１、孔あきミラー２２、対物レンズ２５を有する。大リングスリット１７ａは、被検眼瞳孔と共役位置に設けられている。また、大リングスリット１７ａは、ソレノイド２６の駆動により、リング状の光束の内径が大リングスリット１７ａよりも小さな小リングスリット１７ｂに交換可能に配置されている。小リングスリット１７ｂは被検眼が小瞳孔の場合に、瞳孔を通過する光束を増やすために使用される。
【００１１】
観察照明光学系は、ハロゲンランプ等の光源１１、波長７５０ｎｍ以上の近赤外光を透過する赤外フィルタ１２、コンデンサレンズ１３、コンデンサレンズ１３とリングスリット１７ａ（１７ｂ）との間に配置されたダイクロイックミラー１６、リングスリット１７ａ（１７ｂ）から対物レンズ２５までの光学系を有する。ダイクロイックミラー１６は、赤外光を反射し可視光を透過する特性を持つ。また、対物レンズ２５の近傍には前眼部照明用光源５８が配置されている。なお、本実施例においては、リングスリット１７ａ挿入時には瞳孔径φ（直径）＝４．０ｍｍ以上の被検眼を照明ムラなく撮影でき、リングスリット１７ｂ挿入時には瞳孔径φ＝３．７ｍｍ以上の被検眼を照明ムラなく撮影できるよう構成されている。
【００１２】
眼底観察・撮影光学系３０は、対物レンズ２５、孔あきミラー２２の開口近傍に位置する撮影絞り３１、光軸方向に移動可能なフォーカシングレンズ３２、結像レンズ３３、赤外光反射、可視光透過の特性を有するダイクロイックミラー３４を備え、撮影光学系と眼底観察光学系は対物レンズ２５と撮影絞り３１から結像レンズ３３までの光学系を共用する。撮影絞り３１は対物レンズ２５に関して被検眼Ｅの瞳孔と略共役な位置に配置されている。フォーカシングレンズ３２は、モータを備える移動機構３９により光軸方向に移動される。ダイクロイックミラー３４の透過方向には、可視域に感度を有する撮影用のカラーＣＣＤカメラ３５が配置されている。ダイクロイックミラー３４の反射方向の光路には、赤外反射、可視光透過のダイクロイックミラー３７、リレーレンズ３６、赤外域に感度を有する観察用ＣＣＤカメラ３８が配置されている。
【００１３】
また、対物レンズ２５と孔あきミラー２２の間には、光路分岐部材としての挿脱可能なダイクロイックミラー（波長選択性ミラー）２４が斜設されている。ダイクロイックミラー２４は、前眼部照明用光源５８の波長光（中心波長９４０ｎｍ）を反射し、観察用照明の波長光及びフォーカス指標投影光学系４０等の光源波長（中心波長８８０ｎｍ）を含む波長９００ｎｍ以下を透過する特性を有する。ダイクロイックミラー２４は、撮影時に光路外に退避する。
【００１４】
フォーカス指標投影光学系４０は、赤外光源４１、スリット指標板４２、このスリット指標板４２に取り付けられた２つの偏角プリズム４３、照明光学系１０の光路に斜設されたハーフミラー４４を備える。光源４１、スリット指標板４２は、フォーカシングレンズ３２と連動して移動機構３９により光軸方向に移動される。
【００１５】
フォーカス指標投影光学系４０のスリット指標板４２の光束は、偏角プリズム４３を介してハーフミラー４４により反射された後、リレーレンズ２１、ダイクロイックミラー２４、対物レンズ２５を経て被検眼Ｅの眼底に投影される。眼底のフォーカスが合っていないとき、スリット指標板４２の指標像は分離され、フォーカスが合っているときに一致して投影される。
【００１６】
また、孔あきミラー２２の穴周辺には、ワーキングドットを形成するための２つの赤外光源５５（中心波長８８０ｎｍ）が光軸Ｌ１を中心に左右対称に配置されている。なお、光源５５としては、光ファイバの端面を孔あきミラー２２の近傍位置に配置し、その光ファイバに赤外光を導くものとして構成することもできる。光源５５は、被検眼Ｅと対物レンズ２５との作動距離が適切になったとき、角膜の曲率半径の１／２となる距離が共役位置となるように配置されている。
【００１７】
前眼部観察光学系６０は、ダイクロイックミラー２４の反射側に、フィールドレンズ６１、ミラー６２、絞り６３、リレーレンズ６４ａ及びリレーレンズ６４ｂ、赤外域の感度を持つＣＣＤカメラ６５を備える。ダイクロイックミラー２４は、眼底観察光学系の光軸と前眼部観察光学系の光軸を同軸にする。リレーレンズ６４ａは低倍率のレンズであり、リレーレンズ６４ｂは高倍率のレンズであり、レンズ倍率切換部６６により観察光学系６０の光路に挿入されるレンズが切換選択される。また、ＣＣＤカメラ６５は、中心波長９４０ｎｍの赤外光を発する前眼部照明光源５０により照明された前眼部を撮像する。
【００１８】
固視標呈示光学系７０は、赤色の光源７４、開口穴が形成された８個の固視標７１を持つ視標板７２、リレーレンズ７５を備え、ダイクロイックミラー３４を介してダイクロイックミラー３４から対物レンズ２５までの観察光学系３０の光路を共用する。固視標７１は、右眼の後極部付近を撮影中心に導く開口穴を持つもの、左眼の後極部付近を撮影中心に導く開口穴を持つもの、周辺部を撮影するように視線を導く開口穴を持つもので構成されており、モータ７３により各固視標が選択的に光源７４の前に配置される。
【００１９】
上記の光学系において、前眼部照明光源５８により照明された前眼部は、対物レンズ２５、ダイクロイックミラー２４及びフィールドレンズ６１からリレーレンズ６４の光学系を介してＣＣＤカメラ６５に受光される。また、眼底観察用の光源１１を発した光束は、赤外フィルタ１２により赤外光束とされ、コンデンサレンズ１３、ダイクロイックミラー１６により反射されてリングスリット１７を照明する。リングスリット１７を透過した光は、リレーレンズ１８、ミラー１９、黒点板２０、リレーレンズ２１を経て孔あきミラー２２に達する。孔あきミラー２２で反射された光は、ダイクロイックミラー２４を透過し、対物レンズ２５により被検眼Ｅの瞳孔付近で一旦収束した後、拡散して被検眼眼底部を照明する。撮影用照明光源１４を発した光束は、コンデンサレンズ１５を経た後、観察用照光束と同様な光路を経て被検眼眼底を照明する。
【００２０】
観察照明光で照明された眼底からの反射光は、対物レンズ２５、ダイクロイックミラー２４、孔あきミラー２２の開口部、撮影絞り３１、フォーカシングレンズ３２、結像レンズ３３、ダイクロイックミラー３４、ダイクロイックミラー３７、リレーレンズ３６を介してＣＣＤカメラ３８に結像する。
【００２１】
撮影時には、ダイクロイックミラー２４は光路外に退避され、撮影用照明光で照明された眼底からの反射光は、対物レンズ２５、孔あきミラー２２、撮影絞り３１、フォーカシングレンズ３２、ダイクロイックミラー３４を経て、撮影用のＣＣＤカメラ３５に結像する。なお、ＣＣＤカメラ３５が観察用のカメラを兼用する構成とすることも可能である。
【００２２】
ＣＣＤカメラ６５、３８、３５の出力は画像処理部８０に接続されている。画像処理部８０はＣＣＤカメラ６５に撮像された前眼部の画像からアライメント指標や瞳孔領域を検出処理し、ＣＣＤカメラ３８に撮像された眼底画像からフォーカス指標を検出処理する。また、画像処理部８０はモニタ８に接続され、その表示画像を制御する。制御部８１には、レンズ倍率切換部６６、画像処理部８０、Ｙ駆動部６、ＸＺ駆動部７、ジョイスティック４、ソレノイド２６、移動機構３９、モータ７３、撮影スイッチ８３、各種の操作スイッチを持つスイッチ部８４、表示切換ボタン８４ａ、各光源等が接続されている。
【００２３】
上記のような構成を持つ装置の動作を説明する。装置の初期状態では、前眼部観察光学系６０の光路には、低倍率のリレーレンズ６４ａが挿入されている。また、瞳孔径φ＝４．０ｍｍ以上の被検眼に対応すべく大リングスリット１７ａを挿入されている。まず、検者は被検者の顔を顔支持ユニット５に支持し、表示モニタ８の前眼部像（図３参照）を観察しながら、ジョイスティック４により撮影部３を被検眼に対して粗くアライメントする。、固視標７１は、右眼の後極部付近を撮影中心とするための開口穴を持つものが選択されているものとする。
【００２４】
図３において、Ａ１はＣＣＤカメラ６５で撮像された前眼部像である。Ｎ１は画像制御部８０により電気的に形成された撮影に必要な瞳孔径に対応したサイズのアライメントマークであり、マークＮ１の中心がＣＣＤカメラ６５で撮像される前眼部像における撮像光軸位置と同一となるようにモニタ８上に表示されている。検者はマークＮ１と被検眼の虹彩とが重ならないようにジョイスティック４を操作して撮影部３をＸＹ方向に移動させ、また、前眼部像のピントを合わせるように撮影部３をＺ方向（作動距離方向）に移動させ、撮影部３を被検眼に対して粗くアライメントする。
なお、このアライメントにおいては、被検眼角膜にアライメント指標を投影し、投影された角膜反射像の位置関係から位置合わせを行うようにしてもよい。
【００２５】
ＸＹＺ方向の粗アライメントが完了したら、表示切換ボタン８４ａを押してモニタ８の表示を前眼部像のみの表示から、眼底観察像の表示に切換える。マークＮ１は、瞳孔径のサイズを確認するためにも用いられ、マークＮ１のサイズは、リングスリット１７ａの挿入時に対応して前眼部上でφ（直径）＝４．０ｍｍとされている。表示切換ボタン８４ａを押すと、レンズ倍率切換部６６によりリレーレンズ６４ｂが光路に挿入される。
【００２６】
図４は、眼底観察像の表示に切換えたとき表示例である。図４において、ＦはＣＣＤカメラ３８で撮像される眼底像であり、眼底像の中心にフォーカス指標像Ｓ１、Ｓ２が投影されている。なお、図示を省略したが、実際には光源５５により形成されるワーキングドットが眼底像とともに表示される。フォーカス指標像Ｓ１，Ｓ２は、フォーカスが合っていないときには分離され、フォーカスが合っているときに一致して投影される。検者は、フォーカス指標像Ｓ１及びＳ２を合わせることにより眼底像Ｆのフォーカスを合わせる。
【００２７】
Ａ２は、リレーレンズ６４ｂが光路に挿入された時の前眼部像である。前眼部像Ａ２は、眼底像Ｆの周辺に表示される。また、好ましくは、眼底像Ｆの画像中心と前眼部像Ａ２の画像中心とが略一致（略一致とは、厳密に一致していなくても、必要な精度で一致していれば良いことを言う）するように表示される。すなわち、ＣＣＤカメラ３８で撮像される眼底像Ｆにおける撮像光軸位置とＣＣＤカメラ６５で撮像される前眼部像Ａ２における撮像光軸位置とが略一致するように表示される。Ｎ２は、マークＮ１と同じく撮影に必要な瞳孔径の判断に用いるためのアライメントマークである。マークＮ２は、リレーレンズ６４ｂの光路への挿入による前眼部像の拡大表示に合わせて、前眼部上でφ（直径）＝４．０ｍｍのサイズとなるように前眼部像Ａ２に重ねて表示される。この例ではマークＮ２の直径が表示モニタ８の上下方向の長さと等しく表示されている。前眼部像Ａ２は、粗アライメント時の低倍率の表示に対して、リレーレンズ６４ｂにより光学的に拡大されて表示されている。この例での拡大倍率は、前眼部像Ａ２におけるφ＝４．０ｍｍに相当する部分が表示モニタ８の上下方向の長さと等しくなるように設定されている。眼底像ＦはアライメントマークＮ２の内部領域に表示されており、その大きさは、小リングスリット１７ｂの使用時に撮影に必要な瞳孔径（前眼部上でφ（直径）＝３．７ｍｍ）のサイズとなるように設定されている。
【００２８】
なお、表示モニタ８に前眼部像Ａ２を拡大する手段としては、光学的に拡大する他、ＣＣＤカメラ６５で撮像された前眼部像を画像制御部８０により電子的に拡大しても良い
図５は、表示モニタ８にて表示される眼底像Ｆ及び前眼部像Ａ２の表示方法を説明するパターン図である。斜線部分は前眼部像Ａ２が表示される部分であり、無地部分は眼底像Ｆを表示する部分である。本実施形態の観察・撮影光学系３０による撮影画角は４５°であり、この撮影画角で眼底像Ｆが切り出される。画像制御部８０が持つメモリに表示モニタ８の各アドレス毎にＣＣＤカメラ６５の前眼部画像データを表示するか、ＣＣＤカメラ３８の眼底部画像データを表示するのかを予め記憶させておくことにより、画像制御部８０は各アドレスごとに眼底像Ｆ及び前眼部像Ａ２のいずれかの画像信号を選択する。これにより、図５のような眼底像Ｆ及び前眼部像Ａ２がリアルタイムで表示できる。この時、画像制御部８０に入力されるＣＣＤカメラ６５からの画像信号とＣＣＤカメラ３８からの画像信号とを同期させておく。なお、眼底像Ｆを見てアライメント調整を行い易くするために、モニタ８の画像表示の中心部を通る水平方向または垂直方向において、眼底像Ｆの表示領域の占める割合が前眼部像Ｆの表示領域よりも大きくしておくことが好ましい。
【００２９】
このように眼底像Ｆとその周辺の前眼部像Ａ２の表示により、詳細なアライメント調整を容易に行える。検者は眼底像Ｆの観察を行いながら、前眼部像Ａ２の虹彩がマークＮ２よりも内側にある場合（図６参照）には、被検眼の瞳孔中心が表示モニタ８の画面中心に向かうようにジョイスティック４を操作し、虹彩とマークＮ２とが重ならないようにする。なお、瞳孔中心を画面中心に移動した後も、虹彩がマークＮ２よりも内側にあり、かつ、眼底像Ｆの外周部よりも外側にあるような場合（図７参照）には、小瞳孔径用の小リングスリット１７ｂに交換する。
【００３０】
位置合わせ及びフォーカス合わせ後、撮影スイッチ８３の入力があると、制御部８１はダイクロイックミラー２４を光路から離脱させると共に、撮影光源１４を発光する。撮影光源１４の発光により、眼底は可視光により照明され、眼底からの反射光は対物レンズ２５、孔あきミラー２２の開口部、撮影絞り３１、フォーカシングレンズ３２、結像レンズ３３、ダイクロイックミラー３４を経てＣＣＤカメラ３５に結像する。モニタ８の表示は画像処理部８０によってＣＣＤカメラ３５で撮影されたカラーの眼底画像に切換えられる。ＣＣＤカメラ３５で撮影された眼底像は、画像処理部８０が持つ画像メモリに記憶される。
【００３１】
以上のような構成とすれば、眼底像Ｆの画面中心と前眼部像Ａ２の画面中心が同一となって表示されるため、被検眼と撮影部３との位置関係が把握しやすい。また、眼底像に照明ムラやフレア等が現れた時に、撮影部３を何れの方向に移動調整すれば良いのか容易に判断できる。さらに、眼底像Ｆの周辺の前眼部像に重ねて撮影に必要な瞳孔径に対応したサイズのマークＮ２を表示させることにより、あるいは、眼底像Ｆ自体を撮影に必要な瞳孔径と同じ大きさとすることにより、被検眼が撮影に必要な瞳孔径を満たしているか否かを容易に確認できる。前眼部Ａ２で観察できる虹彩（瞳孔部）が、マークＮ２や眼底像Ｆ自体に入り込んでいる場合には、マークＮ２又は眼底像Ｆが虹彩と重ならないようにすれば、眼底像に生じる照明ムラを回避したアライメント調整が容易にできる。
【００３２】
眼底周辺部を撮影する場合には、目的とする撮影部位に応じて固視標７１を変更する。例えば、乳頭部が撮影中心に位置するように、所定の固視標７１の開口部を選択し、被検眼の視軸を導く。後極部付近を中心とした標準撮影後に周辺撮影に切換えると、被検眼の視軸が切換えられた固視標に導かれることにより瞳孔部の位置が大きくずれ、眼底照明光が虹彩に遮られやすくなり、照明ムラが生じることになる。この場合、図示なきワーキングドットも大きくずれた調整となり、撮影に不慣れな検者では眼底像のみの観察では調整が行いにくい。これに対して、上記のような眼底像と前眼部像の表示により、眼底像を観察しつつ、瞳孔と撮影中心の位置関係も分かり易いので、適切な撮影のためのアライメント調整が容易にできる。また、被検眼の瞳孔径が所要瞳孔径に足りているか否かも手間なく容易に判断できる。
【００３３】
上記の実施形態では照明光学系１０のリングスリットの大きさを２種類に変更できる構成としたが、リングスリットの大きさが１つの構成の場合は、前眼部像Ａ２に重ねて所要瞳孔径を判断するためのアライメントマークＮ２を、撮影画角に対応して切り出した眼底像Ｆの輪郭Ｆ１と同じ大きさとすれば良い。この場合、輪郭Ｆ１と一致するアライメントマークＮ２の色を赤や青の色とすると、白黒の観察像に対して見分けが付き易い。また、図４の表示においても、眼底像Ｆの輪郭Ｆ１からマークＮ２にかけての表示領域に画像制御部８０により、識別を容易とする赤等の着色をしても良い。
【００３４】
なお、上記示したアライメントマークＮ２をモニタ８に表示させる場合には、検者はアライメントマークＮ２を基準に眼底像Ｆに生じる照明ムラを回避したアライメント調整をすることができるので、眼底像ＦはアライメントマークＮ２の領域内に表示されればよい。
【図面の簡単な説明】
【００３５】
【図１】本発明にかかる無散瞳型の眼底カメラの構成図である。
【図２】撮影部に収納される光学系及び制御系の概略構成図である。
【図３】表示モニタに前眼部像のみを表示した時の図である。
【図４】眼底観察像の表示に切換えたとき表示例である。
【図５】表示モニタにて表示される眼底像Ｆ及び前眼部像Ａ２の表示方法を説明するパターン図である。
【図６】前眼部像Ａ２の虹彩がマークＮ２よりも内側にある場合の表示画面を示す図である。
【図７】虹彩がマークＮ２よりも内側にあり、かつ、眼底像Ｆの外周部よりも外側にあるような場合の表示画面を示す図である。
【符号の説明】
【００３６】
８  表示モニタ
３５  ＣＣＤカメラ
３８  ＣＣＤカメラ
６５  ＣＣＤカメラ
８０  画像処理部
Ｌ１  撮像光軸
Ｆ  眼底像
Ａ２  前眼部像
Ｎ２  アライメントマーク
【図１】
2006043305.tif 000003
【図２】
2006043305.tif 000004
【図３】
2006043305.tif 000005
【図４】
2006043305.tif 000006
【図５】
2006043305.tif 000007
【図６】
2006043305.tif 000008
【図７】
2006043305.tif 000009